(57)【要約】  転写ヘッドの前方方向へ押し出しながら塗膜を転写する塗膜転写具で、転写位置を正確に把握でき、塗膜転写具の蛇行を防ぐことが可能な塗膜転写具が提供される。この塗膜転写具は、基材テープに塗膜を設けた転写テープの前記塗膜を被転写体に転写するための塗膜転写具であって、前記転写テープを繰り出す繰り出し部と、前記繰り出し部から繰り出された前記転写テープを前記被転写体に押圧して前記塗膜を前記被転写体に転写する板状転写ヘッドと、転写後の前記基材テープを巻き取る巻き取り部と、前記板状転写ヘッドよりも前記基材テープの搬送方向に沿って下流側に配置され、転写後の前記基材テープを前記被転写体に押圧する搬送ローラとを備える。前記板状転写ヘッドが前方方向へ押し出されることで、前記塗膜が前記被転写体に転写されるように構成されている。【選択図】          図１
2013180102.tif 000002
【特許請求の範囲】
【請求項１】
基材テープに塗膜を設けた転写テープの前記塗膜を被転写体に転写するための塗膜転写具であって、
前記転写テープを繰り出す繰り出し部と、
前記繰り出し部から繰り出された前記転写テープを前記被転写体に押圧して前記塗膜を前記被転写体に転写する板状転写ヘッドと、
転写後の前記基材テープを巻き取る巻き取り部と、
前記板状転写ヘッドよりも前記基材テープの搬送方向に沿って下流側に配置され、転写後の前記基材テープを前記被転写体に押圧する搬送ローラと
を備え、
前記板状転写ヘッドが前方方向へ押し出されることで、前記塗膜が前記被転写体に転写されるように構成されている、
塗膜転写具。
【請求項２】
少なくとも前記繰り出し部及び前記巻き取り部を収容するカセットと、
前記カセットの外部に突出しており、塗膜転写時に前記被転写体に接する位置に設けられている凸部と
をさらに備える、
請求項１に記載の塗膜転写具。
【請求項３】
前記凸部が、回転ローラである、
請求項２に記載の塗膜転写具。
【請求項４】
前記搬送ローラを回転可能に支持する、弾性変形可能な支持体
をさらに備える、
請求項１に記載の塗膜転写具。
【請求項５】
前記搬送ローラを回転可能に支持する、弾性変形可能な支持体
をさらに備える、
請求項２に記載の塗膜転写具。
【請求項６】
前記搬送ローラを回転可能に支持する、弾性変形可能な支持体
をさらに備える、
請求項３に記載の塗膜転写具。
【請求項７】
前記支持体は、塗膜転写時に変形させられて、前記搬送ローラを前記被転写体に対して押圧する押圧力を生じるように弾性変形する、
請求項４に記載の塗膜転写具。
【請求項８】
前記支持体は、塗膜転写時に変形させられて、前記搬送ローラを前記被転写体に対して押圧する押圧力を生じるように弾性変形する、
請求項５に記載の塗膜転写具。
【請求項９】
前記支持体は、塗膜転写時に変形させられて、前記搬送ローラを前記被転写体に対して押圧する押圧力を生じるように弾性変形する、
請求項６に記載の塗膜転写具。
【請求項１０】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項１に記載の塗膜転写具。
【請求項１１】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項２に記載の塗膜転写具。
【請求項１２】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項３に記載の塗膜転写具。
【請求項１３】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項４に記載の塗膜転写具。
【請求項１４】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項５に記載の塗膜転写具。
【請求項１５】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項６に記載の塗膜転写具。
【発明の詳細な説明】
【技術分野】
【０００１】
本発明は、基材テープに修正用塗膜、接着用粘着剤、装飾用塗膜等を設けた転写テープの塗膜を被転写体に転写するために用いる塗膜転写具に関する。
【背景技術】
【０００２】
従来、カセット内に転写テープが繰り出し可能に収納され、転写テープに設けられた塗膜を被転写体に転写する転写ヘッドが設けられており、転写済みの転写テープを巻き取り可能に構成された塗膜転写具が知られている。また、このような塗膜転写具の一つとして、転写ヘッドの前方方向へ塗膜転写具を押し出して、塗膜を転写する転写ヘッドを転写ローラで構成した塗膜転写具が提案されている。（特許文献１参照）これにより、塗膜転写具を手前に引いて塗膜を転写する場合と比較して、転写位置が転写ヘッドの影にならず、転写位置に対する転写塗膜の過不足防止効果を得ることが可能となっている。また、板状転写ヘッドと比較して、塗膜を転写する際に転写テープに必要以上の押圧力をかけることなく転写操作を行うことが可能となっている。
【先行技術文献】
【特許文献】
【０００３】
【特許文献１】特開２００２−１２０００
【発明の概要】
【発明が解決しようとする課題】
【０００４】
しかしながら、上記従来の押し転写式の塗膜転写具では、転写ヘッドに転写ローラを使用しているため、転写ローラの影になり塗膜転写の開始位置および終点位置が確認しづらいといった不具合があった。なお、本明細書では、特許文献１のように塗膜転写具を前方（塗膜転写具を把持しているユーザの身体から離れる方向）へ押し出して塗膜を転写することを「押し転写」、塗膜転写具を後方（塗膜転写具を把持しているユーザの身体に近づく方向）に引いて塗膜を転写することを「引き転写」と呼ぶこととする。【０００５】
本発明は、このような従来例の欠点に着目してなされたものであり、板状転写ヘッドを使用することで、塗膜転写の開始位置および終点位置の確認を容易としつつも、塗膜転写の際に強い押圧力が必要とされない押し転写式の塗膜転写具を提供することを目的とする。
【課題を解決するための手段】
【０００６】
Ａ１観点に係る塗膜転写具は、基材テープに塗膜を設けた転写テープの前記塗膜を被転写体に転写するための塗膜転写具であって、前記転写テープを繰り出す繰り出し部と、前記繰り出し部から繰り出された前記転写テープを前記被転写体に押圧して前記塗膜を前記被転写体に転写する板状転写ヘッドと、転写後の前記基材テープを巻き取る巻き取り部と、前記板状転写ヘッドよりも前記基材テープの搬送方向に沿って下流側に配置され、転写後の前記基材テープを前記被転写体に押圧する搬送ローラとを備える。前記板状転写ヘッドが前方方向へ押し出されることで、前記塗膜が前記被転写体に転写されるように構成されている。【０００７】
Ａ２観点に係る塗膜転写具は、Ａ１観点に係る塗膜転写具であって、少なくとも前記繰り出し部及び前記巻き取り部を収容するカセットと、前記カセットの外部に突出しており、塗膜転写時に前記被転写体に接する位置に設けられている凸部とをさらに備える。
Ａ３観点に係る塗膜転写具は、Ａ２観点に係る塗膜転写具であって、前記凸部が、回転ローラである。【０００８】
Ａ４観点に係る塗膜転写具は、Ａ１観点からＡ３観点のいずれかに係る塗膜転写具であって、前記搬送ローラを回転可能に支持する、弾性変形可能な支持体をさらに備える。【０００９】
Ａ５観点に係る塗膜転写具は、Ａ４観点に係る塗膜転写具であって、前記支持体は、塗膜転写時に変形させられて、前記搬送ローラを前記被転写体に対して押圧する押圧力を生じるように弾性変形する。【００１０】
Ａ６観点に係る塗膜転写具は、Ａ１観点からＡ５観点のいずれかに係る塗膜転写具であって、前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える。【００１１】
Ｂ１観点に係る塗膜転写具は、少なくとも、基材テープに塗膜を設けた転写テープを繰り出す繰り出し部、前記繰り出し部から繰り出された転写テープを被転写体に押圧して塗膜を被転写体に転写する板状転写ヘッド、転写後の基材テープを巻き取る巻き取り部、塗膜転写時に被転写体と接して回転することにより転写テープ巻き取り部の方向に送り力を与える搬送ローラ、及び塗膜転写具の外部に突出している凸部を備え、前記板状転写ヘッドの前方方向へ塗膜転写具を押し出して塗膜を被転写体に転写する塗膜転写具であって、前記搬送ローラの幅の長さは、転写テープ幅より広く、搬送ローラは弾性変形可能な支持体によって回転可能に支持され、前記凸部は、塗膜転写時に被転写体に接する位置に設けたものであることを特徴とする塗膜転写具である。
Ｂ２観点に係る塗膜転写具は、前記凸部が、回転ローラであることを特徴とするＢ１観点に係る塗膜転写具である。
【発明の効果】
【００１２】
本発明の押し転写式の塗膜転写具によれば、転写テープを被転写体に押圧して塗膜を被転写体に転写する転写ヘッドとしては、ローラではなく、板状の部材が用いられる。そのため、転写ヘッドを前方方向へ押し出して塗膜を転写する際、被転写体から鋭く立ち上がる板状転写ヘッドの効果により、特許文献１の押し転写式の塗膜転写具ではローラの影となっていた塗膜転写の開始位置及び終点位置の確認が容易となる。さらに、この板状転写ヘッドと別に設けられた搬送ローラの効果により、板状転写ヘッドを使用しても、塗膜転写の際に強い押圧力をかけることなく、円滑な転写操作を行うことが可能となる。
【図面の簡単な説明】
【００１３】
【図１】本発明の第一実施形態のカバーを外した状態の塗膜転写具の側面図、被転写体側から見た塗膜転写具の底面図、および転写ヘッド部の詳細図。
【図２】転写ヘッドと凸部により被転写体に押圧力を掛けたときの状態図。
【図３】本発明の第一実施形態の搬送ローラの保持形態の一例。
【図４】本発明の第二実施形態のカバーを外した状態の塗膜転写具の側面図、および被転写体側から見た塗膜転写具の底面図。
【符号の説明】
【００１４】
１              ケース
１ａ、２ａ      凸部
２              カバー
３              繰出しコア
４              板状転写ヘッド
４ａ            支持体
４ｂ            軸受け部
５              巻取りコア
６              Ｏリング
７              搬送ローラ
Ａ              塗膜転写具
Ｔ１            転写テープ
Ｔ２            基材テープ
１１            ケース
１１ａ、２２ａ  支持体
２２            カバー
８              回転体
【発明を実施するための形態】
【００１５】
図１は、本発明の第一実施形態のカバーを外した状態の塗膜転写具の側面図と、被転写体側から見た塗膜転写具の底面図と、転写ヘッド部の詳細図である。塗膜転写具Ａは、カセットを形成するケース１及びカバー２、基材テープＴ２に塗膜を塗布した転写テープＴ１を巻き回した繰出しコア３、塗膜を被転写体に転写する板状転写ヘッド４、転写後の基材テープＴ２を巻き取る巻取りコア５、繰出しコア３の回転を巻取りコア５に伝えるＯリング６、及び転写テープＴ１に巻き取り方向の送り力を与える搬送ローラ７から構成される。繰出しコア３、巻取りコア５及びＯリング６は、カセット内に収容されている。また、ケース１には、カセットの外部に突出している凸部１ａが形成されており、カバー２には、同じく外部に突出している凸部２ａが形成されている。これらの２つの凸部１ａ,２ａは、いずれもカセットの底面側の、塗膜転写時に被転写体に接する位置であって、互いにカセットの幅方向に対向する位置にある。また、弾性変形可能な支持体４ａが、転写ヘッド４に形成されており、支持体４ａには、搬送ローラ７の軸を受け取り、これを支持する軸受け部４ｂが設けられている。なお、繰出しコア３の回転を巻取りコア５に伝えるための方法としては、本実施形態ではＯリング６が使用されているが、ギヤ等による伝達も可能であり、特に制限はない。
【００１６】
搬送ローラ７は、基材テープＴ２の搬送方向に沿って板状転写ヘッド４よりも下流側であって、巻取りコア５よりも上流側に配置され、転写後の基材テープＴ２を被転写体に押圧する。搬送ローラ７は、成型用樹脂や金属等からなる軸と、弾性材料でできた外周部とからなる。搬送ローラ７の外周部は、被転写体との摩擦力を得るため、摩擦力の高い弾性材料で形成される。弾性材料としては、ポリウレタンエラストマー、オレフィン系エラストマー、スチレン系エラストマー、ポリアミドエラストマー、ナイロン１２系エラストマー、ポリエステルエラストマー等のエラストマーや、アクリルゴム、ＮＢＲ、イソプレンゴム、ＳＢＲ、ブタジエンゴム、シリコーンゴム、ブチルゴム等の各種ゴム材料が挙げられる。
【００１７】
搬送ローラ７の幅は、基材テープＴ２の幅より広い。そのため、塗膜転写時に搬送ローラ７と被転写体とが接触し、これらの間に摩擦力が発生することになり、この摩擦力で搬送ローラ７の回転力が発生する。そして、この搬送ローラ７の回転力が基材テープＴ２の送り力となって、基材テープＴ２を円滑に巻き取ることができる。すなわち、この板状転写ヘッド４と別に設けられた搬送ローラ７の効果により、板状転写ヘッド４を使用しても、塗膜転写の際に強い押圧力をかけることなく、円滑な転写操作を行うことが可能となる。特に、転写テープＴ１の終期の走行においては、基材テープＴ２の巻き取り力が低下するが、搬送ローラ７はこの低下を補う働きをする。すなわち、転写テープＴ１の終期の走行においても、搬送ローラ７が巻き取り方向へ送り力を与えるため、円滑な転写操作を行うことが可能となる。また、搬送ローラ７の幅を基材テープＴ２の幅より広くすることで、塗膜転写具Ａの直進性を高めることができ、塗膜転写具Ａの蛇行を防止できる。
【００１８】
また、搬送ローラ７の幅は、カセットの幅よりも狭いことが好ましく、数値で表すと、基材テープＴ２の幅よりも２〜１０ｍｍ広いものとすることが好ましい。なぜならば、搬送ローラ７の幅から基材テープＴ２の幅を引いた長さが２ｍｍ未満だと、塗膜転写時に搬送ローラ７と被転写体との間の摩擦力が得られにくくなり、基材テープＴ２の巻き取り不良の恐れが出てくる。また、一般的には、搬送ローラ７の幅が１０ｍｍを超えると、搬送ローラ７がカセットの幅からはみ出すようになり、搬送ローラ７の破損の恐れが出てくるからである。
【００１９】
搬送ローラ７は弾性変形可能な支持体４ａによって、回転可能に支持される。図１では、支持体４ａを樹脂成型で図１の形状にすることで、弾性変形可能としている。なお、ここでいう「弾性変形可能」とは、外力が与えられていない状態では図１の形状であるが、塗膜転写時に搬送ローラ７に被転写体側からカセットのより内部へと押す外力が加えられたときに図２に示すような形状に変形し、塗膜転写後に当該外力が取り除かれると図１の形状に戻る性質をいう。支持体４ａを弾性変形可能にする方法は特に限定されず、例えば、他の形状の樹脂成型であってもよいし、コイルスプリング等の押しばねを利用してもよい。支持体４ａは、この弾性変形可能な性質により、転写テープＴ１を転写する際に搬送ローラ７を被転写体に押さえつける働きをする。よって、本実施形態の塗膜転写具Ａを使用する場合は、少なくとも転写ヘッド４と搬送ローラ７を被転写体に押し当てて、塗膜転写具Ａを転写ヘッド４の前方方向へ押し出して使用するものである。
【００２０】
ケース１、カバー２のそれぞれの凸部１ａ，２ａは、カセットの底面側からカセットの外部に突出しており、塗膜転写時に被転写体に接する位置に設けたものである。塗膜転写具Ａの転写ヘッド４及び搬送ローラ７を被転写体に押さえつけて転写ヘッド４を前方方向に動かしながら、転写テープＴ１を転写する際に、凸部１ａ，２ａを同時に被転写体に接するように使用すると、被転写体への搬送ローラ７の押圧力が最大となる。よって、搬送ローラ７による基材テープＴ２の送り力は大きくなるので、基材テープＴ２の搬送性が安定する。また、塗膜転写具Ａの直進性も増すので、さらに塗膜転写具Ａの蛇行を防止できる。
【００２１】
図２は、塗膜転写具Ａの転写ヘッド４と凸部１ａ，２ａから被転写体に押圧力を掛けたときの状態である。搬送ローラ７は、転写ヘッド４に形成された弾性変形可能な支持体４ａの変形により生じる反発力により、転写後の基材テープＴ２を適切な押圧力で被転写体に押し付けるように構成されている。
【００２２】
図３は、搬送ローラ７の保持形態の他の形態であり、ケース１１及びカバー２２と支持体１１ａ，２２ａとを一体に成型して、搬送ローラ７を回転可能に支持したものである。この場合も、支持体１１ａ，２２ａは、弾性変形可能であり、外力が与えられていない状態では図３の形状であるが、塗膜転写時に搬送ローラ７に外力が加えられたときに被転写体側からカセットのより内部へと押し込まれるように変形し、塗膜転写後に当該外力が取り除かれると図３の形状に戻る。
【００２３】
図４は、本発明の第二実施形態のカバーを外した状態の塗膜転写具の側面図と、被転写体側から見た塗膜転写具の底面図である。ここでは、凸部１ａ，２ａに代えて、凸部１ａ，２ａと同様の役割を果たす筒状の回転体８が設けられている。ここでは、ケース１に軸を設け、カバー２に軸受けの凹部を設けており、この軸に筒状の回転体８が挿入されている。回転体８の材質は、ＡＢＳ、ＰＯＭ、ＰＥ、ＰＳ、ＰＰ等で形成することが好ましく、回転摺動性の良いＰＯＭ（ポリアセタール）が最も好ましい。なお、凸部を回転体とすることで、塗膜転写具を転写ヘッド４の前方方向へ押し出す際の力が軽くなると共に、塗膜転写具の直進性が増して蛇行を防止する効果が生じる。又、回転体８表面に搬送ローラ７の弾性材料に使用されるエラストマーや各種ゴム材料の皮膜を設けることで、被転写体との摩擦係数が高くなり、より一層塗膜転写具の直進性が増して蛇行を防止する効果が生じる。
【００２４】
第一及び第二実施形態の塗膜転写具では、転写ヘッドに板状の部材が用いられているため、これにローラが用いられる特許文献１に記載の塗膜転写具と異なり、塗膜転写の開始位置および終点位置を容易に確認することができる。さらに、特許文献１では、塗膜転写具を走行させた際に転写ローラの押圧力が軽いため、被転写体に対して転写ヘッドの接触が不安定となり、塗膜転写具が蛇行するといった不具合を生じる場合がある。しかしながら、第１及び第２実施形態の塗膜転写具では、転写ヘッドに板状の部材が用いられているため、転写ヘッドの押圧力が軽くなりすぎるという問題は生じない。一方で、この板状の転写ヘッドと別に設けられた搬送ローラの効果により、板状転写ヘッドを使用しても、塗膜転写の際に強い押圧力をかけることなく、円滑な転写操作を行うことが可能となる。また、第１及び第２実施形態の塗膜転写具では、転写ヘッドと搬送ローラに加え、塗膜転写具のカセットの外部に突出している凸部（凸部１ａ，２ａ、回転体８）が、被転写体に同時に接した状態で転写操作が行われることで、塗膜転写具の蛇行を防止できる。
【００２５】
なお、上記実施形態では、搬送ローラ７を支持する支持体４ａが弾性変形可能であり、塗膜転写時にこの支持体４ａが弾性変形することにより、搬送ローラ７と板状転写ヘッド４との間に段差がなくなり、被転写体に対し面が揃うように構成されていた。しかしながら、支持体４ａが弾性変形可能でなくてもよい。この場合には、塗膜転写時に搬送ローラ７自身が被転写体に押されて弾性変形することで、上記段差がなくなり、被転写体に対し搬送ローラ７と板状転写ヘッド４の面が揃うように構成することが好ましい。あるいは、搬送ローラ７を被転写体側から押す外力が加えられる前から、搬送ローラ７と板状転写ヘッド４との間に段差がなく、被転写体に対し面が揃うように構成されていてもよい。
【００２６】
上記実施形態では、搬送ローラ７の幅が基材テープＴ２の幅より広いものとしたが、両者の幅を同じとしても、搬送ローラ７の幅が基材テープＴ２の幅より狭いものとしてもよい。この場合、搬送ローラ７は、塗膜転写時に被転写体と直接接触せず、離型処理の施されている基材テープＴ２にのみ直接接触することになり得るため、搬送ローラ７を回転させるような上述の摩擦力は必ずしも発生しない。しかしながら、搬送ローラ７が存在することで、板状転写ヘッド４の部分に加え、搬送ローラ７の部分でも、基材テープＴ２と被転写体とが接触することになり、基材テープＴ２と被転写体との接触面積が増加する。したがって、同じ押圧力でも、基材テープＴ２が引き出され易くなり、ひいては、基材テープＴ２を円滑に巻き取ることができるようになる。すなわち、板状転写ヘッド４と別に設けられた搬送ローラ７の効果により、塗膜転写の際に強い押圧力をかけることなく、円滑な転写操作を行うことが可能となる。
【図１】
2013180102.tif 000003
【図２】
2013180102.tif 000004
【図３】
2013180102.tif 000005
【図４】
2013180102.tif 000006
【国際調査報告】
2013180102.tif 000007
2013180102.tif 000008
2013180102.tif 000009
2013180102.tif 000010